(57)【要約】【課題】硬貨収納容量を増やしながら、硬貨入出金にかかる操作性を向上させることができる。【解決手段】硬貨収納庫８０の底部近傍に硬貨フィーダー８１を設け、硬貨フィーダー８１は、硬貨受け孔８３に１枚ずつ硬貨を保持してディスク８２を回転し、硬貨収納庫８０の底部近傍に設けられた送出口８４に硬貨を送り出す。送出口８４から排出された硬貨は、ガイド９０を経て硬貨排出口１５および硬貨受取口１４へと搬送される。即ち、硬貨フィーダー８１を設けたことで硬貨収納庫８０内に硬貨を１枚ずつ整列させて積み上げる必要がなくなり、硬貨収納庫８０の高さを高くしなくとも、幅方向を拡張して収納容量を増やすことができる。従って、硬貨収納容量を増やした場合にも、硬貨投入口１３と硬貨受取口１４の高さが離れないので、硬貨入出金にかかる操作性を向上させることができる。【選択図】図６
2011081616.tif 000002
【特許請求の範囲】
【請求項１】
硬貨を受け入れる硬貨受入部と、
硬貨を排出する硬貨排出口と、
前記硬貨受入部が受け入れた硬貨を金種ごとに分別する硬貨分別部と、
前記硬貨分別部が分別した硬貨を金種ごとに収納する、前記硬貨の直径と厚さとを加えた長さ以上の幅を有する硬貨収納庫と、
当該硬貨収納庫に収納した硬貨を１枚ずつ、前記硬貨排出口に排出する硬貨排出機構と、
を備えることを特徴とする硬貨入出金装置。
【請求項２】
前記硬貨排出機構は、
前記硬貨収納庫の底部近傍に設けられ、
前記硬貨排出口に硬貨を送出するための硬貨送出口と、
硬貨を１枚ずつ保持する硬貨受け部を設けた回転体とを備え、
前記硬貨受け部に保持した硬貨を前記回転体の回転とともに前記硬貨送出口まで搬送して、前記硬貨送出口から前記硬貨排出口に対して硬貨を１枚ずつ送出する、
ことを特徴とする請求項１に記載の硬貨入出金装置。
【請求項３】
前記硬貨分別部から金種ごとに排出された硬貨を各金種の前記各硬貨収納庫までそれぞれ搬送するための第１の搬送経路を備えたことを特徴とする請求項１または２に記載の硬貨入出金装置。
【請求項４】
前記第１の搬送経路はそれぞれ扇状であることを特徴とする請求項３に記載の硬貨入出金装置。
【請求項５】
前記硬貨送出口から送出された硬貨を前記硬貨排出口まで搬送するための第２の搬送経路をさらに備え、
前記硬貨送出口は、前記第２の搬送経路の上方であって、前記硬貨収納庫において前記第２の搬送経路に近い方の側面に設けられ、
前記硬貨排出機構は、前記硬貨収納庫において鉛直方向に対して斜めに設けられ、前記硬貨収納庫に収納された硬貨が自重で前記硬貨受け部に入るような向きであって、かつ、前記硬貨受け部に入った硬貨が前記硬貨送出口まで搬送された場合に、前記硬貨送出口から当該硬貨送出口の下方に設けられた前記第２の搬送経路に硬貨の自重で送出されるような向きに設けられる、
ことを特徴とする請求項２ないし４のいずれか１つに記載の硬貨入出金装置。
【請求項６】
請求項１ないし５のいずれか１つに記載の硬貨入出金装置と、
前記硬貨入出金装置が備える硬貨受入部に硬貨を投入するための硬貨投入口と、
前記硬貨入出金装置が備える硬貨排出口が排出した硬貨を受け取るための硬貨受取口と、
を備えることを特徴とする販売データ処理装置。
【発明の詳細な説明】
【技術分野】
【０００１】
本発明は、硬貨入出金装置および販売データ処理装置に関する。
【背景技術】
【０００２】
近年、スーパーマーケット等の店舗では、客自身が商品の販売登録および会計処理を行うセルフチェックアウト用ＰＯＳ（Point  Of  Sales：販売時点情報管理）端末が広く利用されている。セルフチェックアウト用ＰＯＳ端末の内部には、支払いの際に硬貨の入金および釣銭の出金を行う釣銭機（硬貨入出金装置）が組み込まれる。従来は、硬貨入出金装置として、自動販売機や両替機等に一般的に用いられている、チューブ状の硬貨収納庫を備えた縦長の構造を有する硬貨入出金装置が用いられている（例えば、特許文献１参照）。
【０００３】
ところで、チューブ状の硬貨収納庫では、硬貨はチューブ上部近傍に設けた硬貨投入口から投入され、チューブ下部に設けたシャッターから硬貨を１枚ずつスライドさせて、硬貨を硬貨受取口に排出する。従って、硬貨ほぼ１枚分の直径のチューブ内に、硬貨を１枚ずつ整列させて積み上げる必要があり、硬貨の収納容量を増やしたい場合にはチューブを長くする必要があった。
【発明の概要】
【発明が解決しようとする課題】
【０００４】
しかしながら、硬貨収納容量を増やすためにチューブを長くすると、硬貨投入口と硬貨受取口の高さが大きく離れてしまい、硬貨の入金および釣銭の取り出しの操作がしづらいという問題がある。
【０００５】
これに対して、シャッターから排出された硬貨を硬貨入金口の近傍までベルトで搬送する硬貨リフターを備えることもできるが、硬貨入出金装置の構造が複雑になるという課題もある。
【０００６】
一方で、チューブを長くせずに、硬貨収納庫の横方向の内寸を拡張して硬貨収納庫を大容量化した場合、硬貨収納庫内に硬貨は整列せずに雑然と収納されることとなる。従って、従来のチューブ状の硬貨収納庫と同様にシャッターを用いて硬貨を排出しようとしても、シャッターに対して硬貨が整列しないため硬貨を１枚ずつ送り出すことが困難であるという問題がある。
【０００７】
本発明は、上記に鑑みてなされたものであって、硬貨収納容量を増やしながら、硬貨入出金にかかる操作性を向上させることができる硬貨入出金装置および販売データ処理装置を提供することを目的とする。
【課題を解決するための手段】
【０００８】
上述した課題を解決し、目的を達成するために、本発明の硬貨入出金装置は、硬貨を受け入れる硬貨受入部と、硬貨を排出する硬貨排出口と、前記硬貨受入部が受け入れた硬貨を金種ごとに分別する硬貨分別部と、前記硬貨分別部が分別した硬貨を金種ごとに収納する、前記硬貨の直径と厚さとを加えた長さ以上の幅を有する硬貨収納庫と、当該硬貨収納庫に収納した硬貨を１枚ずつ、前記硬貨排出口に排出する硬貨排出機構と、を備えることを特徴とする。
【０００９】
また、本発明の販売データ処理装置は、請求項１ないし５のいずれか１つに記載の硬貨入出金装置と、前記硬貨入出金装置が備える硬貨受入部に硬貨を投入するための硬貨投入口と、前記硬貨入出金装置が備える硬貨排出口が排出した硬貨を受け取るための硬貨受取口と、を備えることを特徴とする。
【発明の効果】
【００１０】
本発明によれば、硬貨の直径と厚さとを加えた長さ以上の幅を有する硬貨収納庫に収納した硬貨を１枚ずつ硬貨排出口に排出する硬貨排出機構を備えたため、硬貨収納庫の高さを高くしなくとも幅方向を拡張して硬貨収納容量を増やすことができ、硬貨投入口と硬貨受取口との高さをそれほど離さずに硬貨収納容量を増やせるので、硬貨収納容量を増やしながら、硬貨入出金にかかる操作性を向上させることができるという効果を奏する。
【図面の簡単な説明】
【００１１】
【図１】図１は、本実施の一実施の形態にかかるセルフチェックアウト用ＰＯＳ端末の概観を示す図である。
【図２】図２は、硬貨入出金装置を示す概略断面図である。
【図３】図３は、硬貨フィーダーを示す斜視図である。
【図４】図４は、図３とは反対側から見た硬貨フィーダーを示す斜視図である。
【図５】図５は、硬貨マニフォールドの一例を示す外観斜視図である。
【図６】図６は、硬貨収納庫の構成を説明する外観斜視図である。
【発明を実施するための形態】
【００１２】
以下に添付図面を参照して、この発明にかかる硬貨入出金装置および販売データ処理装置の最良な実施の形態を詳細に説明する。本実施の形態にかかる販売データ処理装置は、スーパーマーケット等の店舗に設置されるセルフチェックアウト用ＰＯＳ端末として用いられる。また本実施の形態にかかる硬貨入出金装置は、上述のセルフチェックアウト用ＰＯＳ端末に組み込まれて使用される釣銭機として用いられるものである。
【００１３】
図１は、本発明の一実施の形態にかかるセルフチェックアウト用ＰＯＳ端末１００（以降、単にＰＯＳ端末１００と称する）の構成を示す外観斜視図である。ＰＯＳ端末１００の本体２は、タッチパネルを備えたディスプレイ３や、商品に付されたバーコードや二次元コード等のコードシンボルを読み取るためのスキャナ４およびハンドスキャナ５を備えている。
【００１４】
ディスプレイ３は液晶表示器であり、客にＰＯＳ端末１００の操作方法を知らせるための案内画面や、コードシンボルが付されていない商品の商品情報を入力するための入力画面や、スキャナ４やハンドスキャナ５で読み込んだ商品情報を表示する商品登録画面、商品の合計金額や預かり金額、釣銭額等を表示し、支払い方法の選択をする精算画面を表示する。
【００１５】
スキャナ４は、客が商品に付されたコードシンボルをかざすことでコードシンボルを光学的に読み取るものである。また、例えばダンボール箱や長尺の商品などの大型の商品に関しては、商品に付されたコードシンボルをスキャナ４にかざすことは難しいため、客はハンドスキャナ５を用いてコードシンボルを読み取ることが可能である。
【００１６】
また、本体２の右側にはかごに入った未清算の商品を置くための商品戴置台６が設けられ、本体２の左側には精算済みの商品を置くための商品戴置台７が設けられ、精算済みの商品を入れるための袋を掛けるための袋掛けフック８や、精算済みの商品を袋に入れる前に一時的に置いておくための一時置き台９が設けられている。商品戴置台６および７には計量器が備えられており、精算の前後で商品の重量が同じであることを確認する機能を有している。
【００１７】
また、ＰＯＳ端末１００の本体２には、精算時に客のポイントカードやクレジットカードを挿入するためのカード挿入口１０や、レシートを発行するレシート発行口１１が設けられ、さらに、精算用の紙幣の入金や釣り紙幣の受け取りを行うための紙幣入出金口１２、精算時に硬貨を投入するための硬貨投入口１３、釣り硬貨を受け取るための硬貨受取口１４等が設けられている。
【００１８】
本体２の硬貨投入口１３および硬貨受取口１４の本体ハウジング内側には、図２に示すように、硬貨投入口１３から投入された硬貨を収納し、釣り硬貨を硬貨排出口１５を介して硬貨受取口１４に排出するための硬貨入出金装置１が収納されている。
【００１９】
本体２の硬貨投入口１３としては、客が誤ってごみやレシート等を投入してしまう恐れがあるため、硬貨１枚が通過できる程度のスリットが硬貨投入口１３に設けられている（図２参照）。そして、客が投入した硬貨は当該スリットから１枚ずつ通過して、硬貨入出金装置１の硬貨受入部である硬貨フィーダー５０に投入される。
【００２０】
また、本体２の硬貨投入口１３を含むハウジング部分であって、硬貨フィーダー５０の上方には、開閉可能なカバー１６（図１参照）が設けられており、普段はカバー１６に鍵が掛けられて鍵を所持しない客にカバー１６が開けられないようになっている。一方、店員が硬貨入出金装置１に釣銭を補充する場合には、鍵を解錠しカバー１６を開いて、ハウジング内部の硬貨フィーダー５０に硬貨を一括投入することができるようになっている。
【００２１】
次に、本実施の形態にかかる硬貨入出金装置１について、図２ないし図６を用いて説明する。図２は、硬貨入出金装置１を示す概略断面図である。図２に示すように、硬貨入出金装置１は、硬貨投入口１３から投入された硬貨を受け入れて硬貨セレクター６０に供給する硬貨フィーダー５０と、硬貨種類を選別して金種ごとに排出スリット６１から排出する、硬貨分別部としての硬貨セレクター６０と、各排出スリット６１から排出された各金種の硬貨を各金種の硬貨収納庫８０に投入する、第１の搬送経路としての硬貨マニフォールド７０と、金種ごとに硬貨を収納する各硬貨収納庫８０と、各硬貨収納庫８０から出金した硬貨を硬貨受取口１４まで搬送する、第２の搬送経路としてのガイド９０とを主に備えている。
【００２２】
まず、硬貨フィーダー５０について説明する。図３は、硬貨フィーダー５０を示す斜視図であり、図４は、図３とは反対側から見た硬貨フィーダー５０を示す斜視図である。図３および図４では、説明のため硬貨フィーダー台５３を除いた硬貨フィーダー５０の上部部分を描写している。硬貨フィーダー５０は、硬貨フィーダー５０に投入された複数枚の硬貨を一枚ずつ受け入れて、硬貨セレクター６０へ送出するものである。図２に示すように、硬貨フィーダー５０は、ホッパー５４を取り付けた基体５２と、基体５２を支持するフィーダー台５３とを主に備えている。
【００２３】
図３において、プラスチック製のホッパー５４は、概ね半球形状をなし、上端に取り付けられたヒンジ５７および下端の爪部５８で基体５２に取り付けられている。そして、基体５２とホッパー５４とに囲まれた空間によって、複数枚の硬貨が一括投入された場合にも硬貨を外部にこぼすことなく保持することができる硬貨保持部５１を実現している。
【００２４】
基体５２は回転部材５５を備えており、この回転部材５５は、回転部材５５に接続されたモータ５２２（図４参照）の駆動によって、回転方向Ｒに回転する。回転部材５５からは、２つのＵ字状部材５６が回転部材５５の外周方向に向かって延出している。Ｕ字状部材５６は、回転部材５５とともに回転方向Ｒに回転する場合に、Ｕ字の溝部分で硬貨を１枚ずつ掬い上げて、Ｕ字部分に掬い上げた硬貨を保持しながら回転可能な形状となっている。
【００２５】
図３に示すように、硬貨投入口１３から投入され硬貨保持部５１の底部に到達した複数枚の硬貨Ｃは、回転部材５５が回転方向Ｒに回転することで１枚ずつＵ字状部材５６に掬い上げられる。掬い上げられた硬貨Ｃは、回転部材５５の円周方向に沿って基体５２上を移動する。ここで、基体５２には、基体５２の裏側に設けられた送出ガイド５２１（図４参照）に硬貨を１枚ずつ送出するための送出口５９が設けられている。従って、図３において、硬貨ＣがＵ字状部材５６の回転によって送出口５９上まで移動すると、硬貨Ｃは送出口５９から送出ガイド５２１（図４参照）に送出され、送出ガイド５２１を通過した後に、図２に示す硬貨セレクター６０に送出される。
【００２６】
即ち、上述のような硬貨フィーダー５０を備えることで、店員は短時間で効率よく、複数種類かつ大量の釣銭を硬貨入出金装置１に補充することが可能である。
【００２７】
そして、このようにして硬貨フィーダー５０から受け入れた硬貨は、図２に示すように硬貨セレクター６０へ供給され、硬貨セレクター６０で１円、５円、１０円、５０円、１００円、５００円と硬貨の種類ごとに識別された後、各金種用の排出スリット６１から各硬貨マニフォールド７０に排出される。各硬貨マニフォールド７０は、図２に示すように、各排出スリット６１から、各金種に対して設けられた６つの硬貨収納庫８０ａ、８０ｂ、８０ｃ、８０ｄ、８０ｅ、８０ｆ（以降、特に区別しない場合は硬貨収納庫８０と称する。）まで硬貨を通過させるための搬送経路である。
【００２８】
図５は、硬貨マニフォールド７０の一例を示す外観斜視図である。図示するように、硬貨収納庫８０の上部には、硬貨セレクター６０の各排出スリット６１から排出した硬貨を、各硬貨収納庫８０（８０ａ、８０ｂ、８０ｃ、８０ｄ、８０ｅ、８０ｆ）まで搬送するように、扇状の硬貨マニフォールド７０がそれぞれ設けられ、各マニフォールド７０は、通過させる硬貨がマニフォールド７０の外にこぼれ落ちないように両サイドが折り曲げられている。
【００２９】
このように、各硬貨マニフォールド７０を扇状の経路としたことで、硬貨収納庫８０が大型化し、幅広になった場合にも、各排出スリット６１から各硬貨収納庫８０まで安定して硬貨を搬送することができ、また、硬貨の搬送量が増えた場合にもスムーズに搬送できるという効果を奏する。尚、硬貨マニフォールド７０の形状としては、図６に示した上部が開口した扇形形状に限られるものではなく、パイプ状または角柱状など上部が閉じられた形状としてもよい。
【００３０】
図６は、硬貨収納庫８０の構成を説明する外観斜視図である。上述したように、本実施の形態の硬貨入出金装置１は、６つの硬貨収納庫８０ａ〜８０ｆを備えている。各硬貨収納庫８０ａ〜８０ｆはそれぞれ同様の構成であるので、以下では図６に示す硬貨収納庫８０ｃを用いて硬貨収納庫８０の構成について説明する。
【００３１】
硬貨収納庫８０は、金種ごとに設けられ、硬貨セレクター６０が分別した硬貨を金種ごとに収納するものである。そして、従来のチューブ状の硬貨収納庫（特許文献１参照）は収納する硬貨の直径と同等の内径を有するのに対して、硬貨収納庫８０は、硬貨の直径と硬貨の厚さを加えた長さ以上の幅を有するため、幅方向に２枚以上の硬貨を収納することができる。即ち、硬貨収納庫８０内において硬貨は整列せずに収納されるが、硬貨収納庫８０の幅（縦幅、横幅、または内径）を拡張すれば、高さを増やさずとも硬貨収納庫８０の収納容量を増やすことができる。
【００３２】
また、硬貨収納庫８０の内側の底部近傍には、鉛直方向に対して斜めに、硬貨排出機能としての硬貨フィーダー８１が設けられている。さらに、硬貨マニフォールド７０（図５参照）から落下した硬貨が、硬貨フィーダー８１に導入されやすいように、硬貨収納庫８０の内側には硬貨フィーダー８１の周囲近傍が最も低くなるようにスロープが設けられている。
【００３３】
硬貨フィーダー８１は、硬貨収納庫８０内の硬貨を１枚ずつ、ガイド９０（図２参照）を介して硬貨排出口１５に排出するものである。基本的な構成は上述した硬貨フィーダー５０と同様であり、図３および図４を用いて上述した硬貨フィーダー５０と同じ構成を用いても良いが、ここでは図６を用いて別の形態を有する硬貨フィーダー８１について説明する。
【００３４】
図６に示すように、硬貨フィーダー８１は、回転体であるディスク８２を備え、ディスク８２は、回転軸８２ａに接続された図示しないモータによって回転される。ディスク８２には、硬貨を１枚ずつ納めることができる硬貨受け部としての硬貨受け孔８３が複数（図６では３つ）設けられている。また、ディスク８２の回転に伴い、硬貨収納庫８０底部近傍に溜まっている硬貨が自重で硬貨受け孔８３の中に落とし込まれるよう、硬貨受け孔８３の周囲部分は滑らかに加工されている。ディスク８２の裏側の硬貨収納庫８０のハウジングには、硬貨を１枚ずつガイド９０に送出するための送出口８４が開口している。従って、硬貨受け孔８３に納められた硬貨が、ディスク８２の回転によって送出口８４の上部まで移動すると、硬貨は送出口８４に送出され、さらに、送出ガイド８５を通過して、排出口８６から排出されてガイド９０上に硬貨の自重で落下する。
【００３５】
ガイド９０は、図２に示すように、本体２の奥側（図２では右側）から手前（図２では左側）の硬貨排出口１５に向かってスロープ状に設けられており、各硬貨収納庫８０は、このガイド９０の傾斜に沿うようにカスケード状に配置されている。従って、図２および図６を参照すると、各硬貨収納庫８０ｃ、８０ｂ、８０ａに設けられた各排出口８６からガイド９０上に排出された硬貨は、硬貨の自重によりガイド９０のスロープに沿って硬貨排出口１５まで送出され、硬貨受取口１４内に滑り落ちるようになっている。即ち、硬貨受取口１４に至るまでの、送出口８４、送出ガイド８５、排出口８６は、本実施の形態にかかる硬貨送出口として機能するものである。そして、客は硬貨受取口１４から釣銭等の硬貨を取り出すことができる。
【００３６】
このように、ガイド９０に沿って各硬貨収納庫８０を並べて、排出口８６はガイド９０に近い方の硬貨収納庫８０の側面に設け、さらに硬貨フィーダー８１を鉛直方向に対して斜めに傾けて送出口８４がガイド９０の方向を向くように配置したことにより、ガイド９０に至る送出ガイド８５を短くすることができ、また、互いに対向する硬貨収納庫８０ａ、８０ｂ、８０ｃの列と８０ｄ、８０ｅ、８０ｆの列との間隔を小さくすることができるため、硬貨収納庫８０をコンパクトにすることが可能となる。
【００３７】
尚、上述した硬貨収納庫８０ａ、８０ｂ、８０ｃの列と８０ｄ、８０ｅ、８０ｆの列との間隔をさらに狭くした場合、あるいはガイド９０の幅を硬貨収納庫８０の下部に潜り込むように拡張した場合には、送出ガイド８５を設けずとも、排出口８５と一体化した送出口８４からガイド９０上に直接硬貨を送出することも可能であり、硬貨入出金装置１の更なるコンパクト化を図ることができる。
【００３８】
上述のように、本実施の形態によれば、底部近傍に、硬貨を１枚ずつ硬貨排出口１５に排出できる硬貨フィーダー８１を備えた硬貨収納庫８０に硬貨を収納するため、硬貨収納庫８０内に硬貨を１枚ずつ整列させて積み上げる必要がなくなる。従って、硬貨収納庫８０の高さを高くしなくとも、幅方向を拡張して硬貨収納容量を増やすことができ、硬貨投入口１３と硬貨受取口１４との高さをそれほど離さずに硬貨収納容量を増やすことができる。即ち、客が硬貨受取口１４から釣銭の受け取りをする際にかがんだりする必要がなくなり、硬貨入出金にかかる操作性を向上して、客の動作に負担をかけずに済むという効果を奏する。
【００３９】
また、従来は釣銭の受け取りに関して、チューブ状の硬貨収納庫の隣に硬貨リフターを設置し、この硬貨リフターを用いて、硬貨収納庫の底部近傍から排出された硬貨を客が受け取りやすい位置までベルトで搬送する場合もあった。これに対して、本実施の形態においては、上述のように硬貨投入口１３と硬貨受取口１４の高さが近いため、硬貨リフターを備える必要がない。従って、硬貨収納庫８０の幅を拡張して大容量化した場合にも、全体としては装置の幅を大幅に増加させることはなく、水平方向および垂直方向ともにコンパクトにすることができる。また、硬貨リフターが不要となるため、シンプルな構成とすることができ、メンテナンス作業を簡易化できるという効果を奏する。
【００４０】
尚、上述では、硬貨フィーダー８１は、硬貨を１枚ずつ納めることができる硬貨受け孔８３によって硬貨を１枚ずつ送出口８４に送り出すとしたが、これに限られるものではない。その他の例として、上述した硬貨フィーダー５０のように、Ｕ字状部材５６と同等の部材を複数設けて硬貨を１枚ずつ送出口８４に送り出すとしても良い。また、回転体として硬貨収納庫８０の底部近傍にベルトを設けて、例えば、ベルト近傍に設けられた溝等のガイドに従って、硬貨が１枚ずつベルトとハウジングの間に送出されて、ハウジングに設けられた送出口に硬貨を１枚ずつ送り出す構成としてもよい。
【産業上の利用可能性】
【００４１】
以上のように、本発明にかかる硬貨入出金装置は、硬貨釣銭機を有する販売データ処理装置や販売機および両替機に有用であり、特に、省スペース化が望まれるセルフチェックアウト用ＰＯＳ端末に組み込まれて使用される釣銭機に適している。また、本発明にかかる販売データ処理装置は、スーパーマーケット等で利用されるセルフチェックアウト用ＰＯＳ端末に適している。
【符号の説明】
【００４２】
１  硬貨入出金装置
１３  硬貨投入口
１４  硬貨受取口
１５  硬貨排出口
５０  硬貨フィーダー（硬貨受入部）
６０  硬貨セレクター（硬貨分別部）
７０  硬貨マニフォールド（第１の搬送経路）
８０  硬貨収納庫
８１  硬貨フィーダー（硬貨排出機構）
８２  ディスク（回転体）
８３  硬貨受け孔（硬貨受け部）
８４  送出口
８５  送出ガイド
８６  排出口
９０  ガイド（第２の搬送経路）
１００  セルフチェックアウト用ＰＯＳ端末
【先行技術文献】
【特許文献】
【００４３】
【特許文献１】特開２００９−１２８９７８公報
【図１】
2011081616.tif 000003
【図２】
2011081616.tif 000004
【図３】
2011081616.tif 000005
【図４】
2011081616.tif 000006
【図５】
2011081616.tif 000007
【図６】
2011081616.tif 000008